(57)【要約】【課題】減結合キャパシタを必要とせずにアナログオーディオ信号をＥＭＩの効果に対してシールドし、かつ、拡張された互換性を有するマイクロホンアセンブリを提供する。【解決手段】携帯電話機において、マイクロホンの動作素子と、マイクロホンのプリアンプと、Ａ／Ｄ変換器とをシールドするマイクロホンのケーシングが、望ましくないＥＭＩを除去するために設けられる。純粋なディジタルのＤＳＰがＡ／Ｄ変換器に接続され、ディジタル信号のみを処理する。マイクロホンは、音響信号をアナログオーディオ信号に変換し、上記アナログオーディオ信号は、Ａ／Ｄ変換器によってディジタル出力信号に変換される。ディジタル出力信号は、別の処理のために、純粋なディジタルのＤＳＰに送信される。【選択図】図１
2012019543.tif 000002
【特許請求の範囲】
【請求項１】
動作素子と、上記動作素子を保護するケーシングとを有するマイクロホンと、
上記ケーシング内に存在し、上記動作素子に接続されたアナログ−ディジタル変換器と、
上記アナログ−ディジタル変換器に接続された純粋なディジタルのＤＳＰとを備えた、携帯電話機において用いるための装置。
【請求項２】
上記アナログ−ディジタル変換器は、シグマ−デルタ変調器である請求項１記載の装置。
【請求項３】
上記ケーシング内において、上記アナログ−ディジタル変換器の後段にディジタルフィルタをさらに備えた請求項２記載の装置。
【請求項４】
上記ディジタルフィルタは、ディジタルデシメーション低域通過フィルタである請求項３記載の装置。
【請求項５】
上記マイクロホンの動作素子は、エレクトレットアセンブリを備えた請求項１記載の装置。
【請求項６】
上記動作素子と上記アナログ−ディジタル変換器の間にプリアンプをさらに備えた請求項１記載の装置。
【請求項７】
上記動作素子と上記プリアンプの間に高域通過フィルタをさらに備えた請求項６記載の装置。
【請求項８】
上記プリアンプと上記アナログ−ディジタル変換器の間に低域通過フィルタをさらに備えた請求項６記載の装置。
【請求項９】
上記プリアンプと上記アナログ−ディジタル変換器の間に低域通過フィルタをさらに備えた請求項７記載の装置。
【請求項１０】
音のエネルギーを電気的なエネルギーに変換するエレクトレットアセンブリと、
上記エレクトレットアセンブリを収容するマイクロホンのケーシングと、
上記ケーシング内に存在し、上記エレクトレットアセンブリに接続されたプリアンプと、
上記ケーシング内に存在し、上記プリアンプに接続されたアナログ−ディジタル変換器とを備え、上記アナログ−ディジタル変換器は、上記プリアンプからオーディオ信号を受信し、
上記アナログ−ディジタル変換器に接続された純粋なディジタルのＤＳＰを備えた、携帯電話機において用いるための装置。
【請求項１１】
ケーシングを備えたマイクロホンを有する携帯電話機を動作させる方法であって、
上記マイクロホンのケーシング内で、音響信号を、上記音響信号を表現するディジタル出力信号に変換することと、
上記ディジタル出力信号を、純粋なディジタルのＤＳＰに送信することと、
上記純粋なディジタルのＤＳＰにおいて、上記ディジタル出力信号を処理することとを含む方法。
【請求項１２】
マイクロホンのケーシング内で、音響信号を受けることと、
上記マイクロホンのケーシング内で、上記音響信号をアナログオーディオ信号に変換することと、
上記マイクロホンのケーシング内で、上記アナログオーディオ信号をディジタル出力信号に変換することと、
別の処理のために、上記ディジタル出力信号を純粋なディジタルのＤＳＰに送信することとを含む、音響信号を処理する方法。
【請求項１３】
マイクロホンのケーシング内で、音響信号を受けることと、
上記マイクロホンのケーシング内で、上記音響信号をアナログオーディオ信号に変換することと、
上記ケーシング内で、上記アナログオーディオ信号を増幅することによって、増幅された信号を提供することと、
上記ケーシング内で、上記増幅された信号と上記アナログオーディオ信号のうちの１つをフィルタリングすることによって、フィルタリングされた信号を提供することと、
上記マイクロホンのケーシング内で、上記フィルタリングされた信号をディジタル出力信号に変換することとを含む、音響信号を処理する方法。
【請求項１４】
上記マイクロホンのケーシング内で、上記ディジタル出力信号をディジタル的にフィルタリングすることをさらに含む請求項１３記載の方法。
【請求項１５】
上記アナログオーディオ信号は高域通過フィルタによってフィルタリングされる請求項１３記載の方法。
【請求項１６】
上記増幅された信号は低域通過フィルタによってフィルタリングされる請求項１３記載の方法。
【請求項１７】
音響信号を受け、上記音響信号をオーディオ信号に変換するマイクロホンを備え、上記マイクロホンはケーシングを有し、
上記ケーシング内に存在し、上記オーディオ信号をディジタル信号に変換するアナログ−ディジタル変換器と、
上記アナログ−ディジタル変換器に接続され、上記ディジタル信号を受信して処理する純粋なディジタルのＤＳＰとを備えた音響エネルギー処理アセンブリ。
【請求項１８】
携帯電話機のユーザから受けた音響信号をオーディオ信号に変換する動作素子と、
上記オーディオ信号をディジタル信号に変換するアナログ−ディジタル変換器と、
上記動作素子と上記アナログ−ディジタル変換器が配置されたケーシングとを備えた、携帯電話機のためのマイクロホンアセンブリ。
【請求項１９】
動作素子と、上記動作素子を保護するケーシングとを有するマイクロホンと、
上記ケーシング内に存在し、上記動作素子に接続された集積回路とを備え、上記集積回路は、上記動作素子に接続されたプリアンプと、上記プリアンプに接続されたアナログ−ディジタル変換器とを含むマイクロホンアセンブリ。
【請求項２０】
上記集積回路は、上記アナログ−ディジタル変換器に接続されたディジタルフィルタをさらに含む請求項１９記載のマイクロホンアセンブリ。
【請求項２１】
上記集積回路は、上記動作素子と上記プリアンプの間に接続された高域通過フィルタをさらに含む請求項１９記載のマイクロホンアセンブリ。
【請求項２２】
上記集積回路は、上記プリアンプと上記アナログ−ディジタル変換器の間に接続された低域通過フィルタをさらに含む請求項１９記載のマイクロホンアセンブリ。
【発明の詳細な説明】
【技術分野】
【０００１】
本発明は、マイクロホンアセンブリに関し、特に、マイクロホンアセンブリのハウジングの中にプリアンプとアナログ−ディジタル（Ａ／Ｄ）変換器を設けることに関する。
【背景技術】
【０００２】
現在、携帯電話機（例えば、移動体電話機又はセルラー電話機）に用いられている典型的なマイクロホンアセンブリは、音響信号をアナログオーディオ信号に変換し、上記アナログオーディオ信号は、ディジタル化のために、上記マイクロホンアセンブリから信号線を介して外部のＡ／Ｄ変換器に伝送される。しかしながら、アナログオーディオ信号がマイクロホンアセンブリからＡ／Ｄ変換器に伝送されるとき、上記アナログオーディオ信号は、（通常は約１乃至２ＧＨｚの）高い周波数の信号の存在によって引き起こされる電磁干渉（ＥＭＩ）から、望ましくない影響を受ける可能性がある。ＥＭＩの効果を減少させるために、移動体電話機の産業において現在実施されていることは、ディジタル化の前の複数の「雑音のないきれいな」アナログオーディオ信号に対して、高い周波数の信号を減結合するために、複数の外部のキャパシタを用いることである。ディジタル化の後で、結果として生じるディジタル出力信号は、ＥＭＩからの影響を受けにくくなる。従って、ＥＭＩが信号の完全性を低下させることを防ぐために、可能な限り速やかに音響信号をディジタル出力信号に変換することが望ましい。
【０００３】
さらに、現在、携帯電話機において用いられている異なるマイクロホンアセンブリは、異なる感度のレベルと出力インピーダンスとを有する。従って、各携帯電話機は、典型的には、ただ１つのタイプのマイクロホンアセンブリを考慮して設計され、マイクロホンのプリアンプの駆動レベルは、特定のマイクロホンアセンブリの出力特性に従って設定されている。ゆえに、マイクロホンのプリアンプの利得が、元のマイクロホンアセンブリの出力特性とは異なる出力特性を有する異なるマイクロホンアセンブリに適応するように調整される必要があるので、１つのマイクロホンアセンブリをもう１つのものに対して代用することは実際的ではない。従って、１つのタイプのマイクロホンをもう１つのものに対して切り換えるために、典型的には、ハードウェアの修正か、又はマイクロホンの感度のアナログレベルの調整が必要とされる。
【発明の概要】
【発明が解決しようとする課題】
【０００４】
ゆえに、減結合キャパシタを用いることを必要とせずにアナログオーディオ信号をＥＭＩの効果に対してシールドし、かつ、拡張された互換性を提供するマイクロホンアセンブリに対する必要が存在する。
【課題を解決するための手段】
【０００５】
本発明に係るマイクロホンアセンブリは、一般に、マイクロホンの動作素子（working components）と、マイクロホンのプリアンプと、Ａ／Ｄ変換器とを、望ましくないＥＭＩに対して保護するケーシングを含む。上記マイクロホンは、音響信号をアナログオーディオ信号に変換し、上記アナログオーディオ信号は、上記Ａ／Ｄ変換器によってディジタル出力信号に変換される。上記ディジタル出力信号は、ディジタル信号のみを処理する、純粋なディジタルのＤＳＰに伝送される。本発明の特定の態様では、アナログオーディオ信号が上記Ａ／Ｄ変換器に受信される前に上記アナログオーディオ信号をフィルタリングするために、プリアンプの段階にオプションのフィルタリング回路が設けられる。別の実施形態においては、プリアンプと、Ａ／Ｄ変換器と、任意のオプションのフィルタリング回路とは、マイクロホンのケーシング内に配置された集積回路上に設けられる。
【０００６】
内部Ａ／Ｄ変換器を有するマイクロホンと純粋なディジタルのＤＳＰとの本発明に係る組合わせは、ＤＳＰがアナログ処理能力を有する従来技術に係るシステムに関連した、前述されたいくつかの欠点を克服する。マイクロホンのケーシングから送信されるディジタル出力を備えたマイクロホンを有することによって、本発明に係るマイクロホンは互換性を促進し、１つのマイクロホンアセンブリをもう１つのものに対して容易に代用することを可能にする。必要とされうるいかなる調整も、完全にソフトウェアで制御される。
【０００７】
それに加えて、純粋なディジタルのＤＳＰを用いることは、移動体電話機の構成を簡単化し、製造コストを低下させるが、それは、純粋なディジタルのＤＳＰのコストが、アナログ回路を含む標準的なＤＳＰよりも低いからである。さらに、ＤＳＰにおけるアナログ回路を除去することは、アナログ信号を処理するための余分な基板層を不必要にし、それによって、信号処理回路の構成を簡単化することができる。
【図面の簡単な説明】
【０００８】
【図１】本発明の好ましい実施形態に係る移動体電話機の機能図である。
【図２】本発明の特定の態様に係るマイクロホンアセンブリ及び純粋なディジタルのＤＳＰの機能図である。
【図３】本発明のもう１つの態様に係るマイクロホンアセンブリ及び純粋なディジタルのＤＳＰの機能図である。
【図４】本発明の別の態様に係るマイクロホンアセンブリ及び純粋なディジタルのＤＳＰの機能図である。
【図５】本発明のさらに別の態様に係るマイクロホンアセンブリ及び純粋なディジタルのＤＳＰの機能図である。
【発明を実施するための形態】
【０００９】
本発明に係る前述された利点と他の利点とは、以下の詳細な説明を読み、添付の図面を参照することによって明らかになるだろう。
【００１０】
本発明は、さまざまな変形例と代替的な形式とに可能である一方で、複数の特定の実施形態が図面中に実施例として図示され、また、ここに詳述される。しかしながら、本発明は開示された特定の形式に制限されるように意図されるのではないことが理解されるべきである。むしろ、本発明は、添付された特許請求の範囲によって定義される本発明の精神及び範囲内に含まれる、すべての変形物、等価物及び代替物を包含するものとする。
【００１１】
図１に図示された移動体電話機２は、一般に、マイクロホンアセンブリ３、純粋なディジタル信号プロセッサ（純粋なディジタルのＤＳＰ）１４、スピーカアセンブリ３０、ＲＦ受信装置３２、ＲＦ送信装置３４、及びアンテナ３６を含む。マイクロホンアセンブリ３は、動作素子（working components）８と、マイクロホンのプリアンプ１０と、アナログ−ディジタル（Ａ／Ｄ）変換器１２とを収容するケーシング４を備える。マイクロホンのケーシング４は、マイクロホンアセンブリ３の全体に構造的な完全性を提供することに加えて、動作素子８とマイクロホンのプリアンプ１０とＡ／Ｄ変換器１２とを、望ましくない高い周波数のＥＭＩに対してシールドし、又は保護する。マイクロホンのケーシング４は、好ましくは、鋼又はアルミニウムのような導電性の材料か、もしくは、金属粒子で被覆されたプラスチックのような金属化された不導体の材料にてなる。
【００１２】
音響エネルギーは、送話口（sound inlet）６を介して、動作素子８によって受けられる。好ましい実施形態において、動作素子８は、音響エネルギーにさらされることに応答して振動する振動板を含むエレクトレットアセンブリを備えている。振動板の振動は結果として電気信号を発生させ、このように、動作素子８は音響エネルギーを電気的なエネルギーに変換する。この電気的なエネルギーは、アナログオーディオ信号としてマイクロホンのプリアンプ１０に供給され、上記マイクロホンのプリアンプ１０は、Ａ／Ｄ変換器１２のために適当なレベルにアナログオーディオ信号を増幅する。プリアンプ１０は、１つよりも多くの利得ステージを含んでもよい。Ａ／Ｄ変換器１２は、アナログオーディオ信号をディジタル出力信号に変換する。
【００１３】
好ましい実施形態において、Ａ／Ｄ変換器１２は、アナログオーディオ信号をシリアルのディジタルビットストリームに変換する、シグマ−デルタ変調器である。それに代わって、Ａ／Ｄ変換器１２は、例えば、フラッシュ又はパイプライン変換器、逐次近似変換器、又は他の任意の適当なＡ／Ｄ変換器であることができる。シリアルのディジタルビットストリームは、さらに処理するために、純粋なディジタルのＤＳＰ１４へ向かうライン２０上を伝送される。純粋なディジタルのＤＳＰ１４は、アナログ回路を含まず、アナログ信号を処理しない。それよりはむしろ、純粋なディジタルのＤＳＰ１４は、ディジタル回路（ディジタル信号のみを処理するように適応されている回路）のみを含み、ディジタル信号のみを処理する。従って、純粋なディジタルのＤＳＰ１４へ向かうライン２０、２４上の入力信号と、純粋なディジタルのＤＳＰ１４からのライン２２、２６上の出力信号とは、ディジタルの形式のみで存在する。
【００１４】
純粋なディジタルのＤＳＰ１４は、ライン２０からのディジタル出力信号を処理し、ＲＦ送信装置３４へ向かうライン２６上に送信のためのディジタル信号を供給する。ＲＦ送信装置３４は、上記送信のためのディジタル信号を、アンテナ３６によって送信されるＲＦ信号に変換する。同様に、アンテナ３６は、ＲＦ受信装置３２にＲＦ信号を供給し、上記ＲＦ受信装置３２は、受信されたディジタル信号を、純粋なディジタルのＤＳＰ１４へ向かうライン２４上に供給する。純粋なディジタルのＤＳＰ１４は、受信されたディジタル信号を処理し、スピーカアセンブリ３０へ向かうライン２２上に、ディジタルオーディオ出力信号を供給する。ライン２２上のディジタルオーディオ出力信号は、ＰＤＭ又はＰＷＭで符号化された信号であることができる。スピーカアセンブリ３０は、ディジタルオーディオ出力信号を、操作者によって聴取される音響信号に変換する。
【００１５】
図１に図示された移動体電話機２は、本発明が動作可能な唯一の装置ではない。移動体電話機２は説明の目的のみのために選択され、本発明は、移動体電話機のほかにも、他の多くの装置を意図している。他の装置の例は、携帯電話機、携帯型のオーディオ又はビデオの記録システム、補聴器、携帯情報端末、ウェアラブルマイクロホン（有線又は無線）、及び、小型サイズのマイクロホンを必要とし、未処理（raw）の、又はフォーマット化されたディジタルオーディオ出力を必要とする他の任意の装置を、これらに限定することなく、含んでいる。
【００１６】
次いで、図２を参照すると、代替的なマイクロホンアセンブリ１０３は、動作素子１０８とマイクロホンのプリアンプ１１０との間に接続された高域通過フィルタ１０９と、マイクロホンのプリアンプ１１０と好ましくはシグマ−デルタ変調器であるＡ／Ｄ変換器１１２との間に接続された低域通過フィルタ１１１とを含む。高域通過フィルタ１０９は、動作素子１０８とプリアンプ１１０との間で信号中のＤＣ成分を阻止し、それによって、プリアンプ１１０の安定性とダイナミックレンジを改善する。また、高域通過フィルタ１０９は、低い周波数をフィルタリングして除去することによって、マイクロホンアセンブリ１０３における全体のノイズのレベルを低下させる。低域通過フィルタ１１１は、信号がＡ／Ｄ変換器１１２に供給される前に、信号の周波数成分を制限することによって望ましくないエイリアジングの効果を除去する。高域通過フィルタ１０９と低域通過フィルタ１１１は、好ましくは、マイクロホンのプリアンプ１１０に組み込まれているが、それに代わって、オプションとして、高域通過フィルタ１０９と低域通過フィルタ１１１をマイクロホンのプリアンプ１１０から分離してもよい。ライン２０上のディジタル出力信号は、いかなる標準のオーディオ形式によってもフォーマット化されていないという意味において、未処理の信号である。ライン２０上の未処理のディジタル出力信号は、別のディジタル処理のために、純粋なディジタルのＤＳＰ１１４に送信される。ディジタル出力信号のフォーマット化は、図４を参照して議論される。
【００１７】
図２は、高域通過フィルタ１０９と低域通過フィルタ１１１の両方を図示しているが、他の実施形態においては、高域通過フィルタと低域通過フィルタのうちの１つだけが提供されてもよいことを注意する。マイクロホンのプリアンプ１１０におけるフィルタリングが所望されるか否かは、例えば、サイズの拘束条件やオーディオ品質のような要素に依存する。
【００１８】
次いで、図３を参照すると、代替的なマイクロホンアセンブリ２０３は、本発明のもう１つの実施形態に係る、動作素子２０８と、マイクロホンのプリアンプ２１０と、Ａ／Ｄ変換器２１２と、ディジタルフィルタ２１５とを含むマイクロホンのケーシング２０４を含む。Ａ／Ｄ変換器２１２は、好ましくはシグマ−デルタ変調器であり、マイクロホンのプリアンプ２１０は、図２に図示された実施形態に関連して議論されたように、高域通過フィルタ又は低域通過フィルタのうちのいずれか、又はその両方をオプションとして含むことができる。ディジタルフィルタ２１５は、ディジタルビットストリームから高い周波数のノイズを除去する。例えば、ディジタルフィルタ２１５は、好ましくは、帯域外の量子化雑音を除去するディジタルデシメーション低域通過フィルタである。図３に図示された実施形態において、ディジタルフィルタ２１５はマイクロホンのケーシング２０４の内部に図示されているが、ディジタルフィルタ２１５は、マイクロホンのケーシング２０４の外部にある純粋なディジタルのＤＳＰ２１４に組み込まれてもよいということが、明らかに意図されている。ディジタルフィルタ２１５が、Ａ／Ｄ変換器２１２と純粋なディジタルのＤＳＰ２１４とのいずれに組み込まれるかは、例えば、サイズの拘束条件に依存する。
【００１９】
次に、図４は、本発明のもう１つの実施形態に係る、Ａ／Ｄ変換器３１２と純粋なディジタルのＤＳＰ３１４の間に接続されたフォーマット化回路３１３を備えたマイクロホンアセンブリ３０３を図示する。フォーマット化回路３１３は、例えば、Ｓ／ＰＤＩＦ、ＡＥＳ／ＥＢＵ、Ｉ２Ｓのようなディジタルオーディオの標準か、又は他の任意の適当なディジタルオーディオの標準に従って、Ａ／Ｄ変換器３１２からの信号をフォーマット化する。それに代わって、フォーマット化は、純粋なディジタルのＤＳＰ３１４によって実行されてもよい。フォーマット化回路３１３は、好ましくは、マイクロホンのケーシング３０４内のＡ／Ｄ変換器３１２に組み込まれ、さらに、図２に関連して記述されたもののようなディジタルフィルタを含んでもよい。プリアンプ３１０は、図２に関連して記述されたもののような高域通過フィルタ及び／又は低域通過フィルタをオプションとして含んでもよい。フォーマット化されたディジタル出力信号は、別の処理のために、純粋なディジタルのＤＳＰ３１４へ向かうライン３２０上に伝送されてもよく、又は、ディジタル出力信号がディジタルオーディオの標準に従ってフォーマット化されているので、例えば携帯型のオーディオ又はビデオの装置のような、そのようなディジタルオーディオの標準に従う装置に接続されるか、又はそのような装置に直接に組み込まれていてもよい。
【００２０】
最後に、図５は、動作素子４０８と純粋なディジタルのＤＳＰ４１４の間に接続された集積回路（ＩＣ）４０５を有するマイクロホンアセンブリ４０３を図示する。ＩＣ４０５は、マイクロホンのケーシング４０４内に位置し、マイクロホンのプリアンプ４１０と、好ましくはシグマ−デルタ変調器であるＡ／Ｄ変換器４１２とを含む。アプリケーションに依存して、ＩＣ４０５は、以下の構成要素のうちの任意の１つ又は任意の組合わせを含むことができる；図２に記述された高域通過フィルタ１０９又は低域通過フィルタ１１１、図３に記述されたディジタルフィルタ２１５、又は図４に記述されたフォーマット化回路３１３。マイクロホンのサイズの拘束条件は、ＩＣ４０５に組み込まれるオプションの構成要素の個数を指定する。動作素子４０８からのアナログオーディオ信号はＩＣ４０５に供給され、上記ＩＣ４０５は、未処理のディジタル出力信号か、又はフォーマット化されたディジタル出力信号かのいずれかを、純粋なディジタルのＤＳＰ４１４へ向かうライン４２０上に出力する。
【００２１】
図２乃至図５のマイクロホンアセンブリ１０３，２０３，３０３及び４０３は純粋なディジタルのＤＳＰに関連して記述されたが、各アセンブリはまた、アナログの能力を有する純粋にディジタルではないＤＳＰとともに用いることができる。
【００２２】
本発明は、１つ又はそれよりも多くの特定の実施形態を参照して記述されたが、本発明の精神及び範囲から離れることなく、それに多数の変形物を作れることを当業者は認識するだろう。これらの実施形態のそれぞれと、それらの明らかな変形物とは、添付の特許請求の範囲に開示された発明の精神及び範囲の内に包含されるように意図される。
【符号の説明】
【００２３】
２…移動体電話機、
３，１０３，２０３，３０３，４０３…マイクロホンアセンブリ、
４，１０４，２０４，３０４，４０４…ケーシング、
６，１０６，２０６，３０６，４０６…送話口、
８，１０８，２０８，３０８，４０８…動作素子、
１０，１１０，２１０，３１０…プリアンプ、
１２，１１２，２１２，３１２…Ａ／Ｄ変換器、
１４，１１４，２１４，３１４，４１４…純粋なディジタルのＤＳＰ１４、
２０，２２，２４，２６，１２０，２２０，３２０，４２０…ライン、
３０…スピーカアセンブリ、
３２…ＲＦ受信装置、
３４…ＲＦ送信装置、
３６…アンテナ、
１０９…高域通過フィルタ、
１１１…低域通過フィルタ、
２１５…ディジタルフィルタ、
３１３…フォーマット化回路、
４０５…集積回路。
【図１】
2012019543.tif 000003
【図２】
2012019543.tif 000004
【図３】
2012019543.tif 000005
【図４】
2012019543.tif 000006
【図５】
2012019543.tif 000007
【手続補正書】
【提出日】平成23年10月7日(2011.10.7)
【手続補正１】
【補正対象書類名】特許請求の範囲
【補正対象項目名】全文
【補正方法】変更
【補正の内容】
【特許請求の範囲】
【請求項１】
導電性の材料にてなり、送話口を有するマイクロホンアッセンブリケーシングと、
上記送話口を介して音響波を受け、上記受けた音響波をアナログオーディオ信号に変換する変換器であって、上記マイクロホンアッセンブリケーシング内に設けられた変換器と、
上記マイクロホンアッセンブリケーシング内に設けられた電子回路であって、上記変換器からのアナログオーディオ信号を増幅するプリアンプと、ディジタルオーディオ信号を提供するシグマ−デルタ変調器との縦続接続によって定義される信号経路を備えた電子回路とを備えたマイクロホンアッセンブリであって、
上記マイクロホンアッセンブリは、
上記変換器と上記プリアンプとの間に設けられた高域通過フィルタであって、上記シグマ−デルタ変調器の入力における信号のＤＣ成分又はゆっくりと変化する成分を除去する高域通過フィルタと、
上記プリアンプと上記シグマ−デルタ変調器との間に設けられ、エイリアシングの効果を除去する低域通過フィルタと
をさらに備え、
上記プリアンプ、上記シグマ−デルタ変調器、上記高域通過フィルタ及び上記低域通過フィルタは、１つの集積回路に集積化され、
上記高域通過フィルタ及び上記低域通過フィルタは、上記プリアンプに組み込まれているマイクロホンアッセンブリ。
【請求項２】
上記シグマ−デルタ変調器からのディジタルオーディオ信号をフォーマット化するフォーマット化回路をさらに備えた請求項１記載のマイクロホンアッセンブリ。
【請求項３】
上記集積回路は、ディジタルフィルタ及びフォーマット化回路のうちの少なくとも一方をさらに含む請求項１記載のマイクロホンアッセンブリ。
【請求項４】
上記変換器は振動板を備えた請求項１〜３のいずれか１つに記載のマイクロホンアッセンブリ。
【請求項５】
上記シグマ−デルタ変調器からデータを受けるディジタルフィルタであって、上記集積回路の一部を形成するディジタルフィルタをさらに備えた請求項１〜４のいずれか１つに記載のマイクロホンアッセンブリ。
【請求項６】
上記ディジタルフィルタはディジタルデシメーション低域通過フィルタである請求項５記載のマイクロホンアッセンブリ。
【請求項７】
請求項１〜６のいずれか１つに記載のマイクロホンアッセンブリであって、さらなる信号処理のために純粋なディジタル信号プロセッサに接続されたマイクロホンアッセンブリを備えた携帯装置。
【請求項８】
上記携帯装置は、補聴器と、携帯録音装置と、携帯電話機又はセルラー電話機とからなるグループから選択される請求項７記載の携帯装置。
【手続補正２】
【補正対象書類名】明細書
【補正対象項目名】００１６
【補正方法】変更
【補正の内容】
【００１６】
次いで、図２を参照すると、代替的なマイクロホンアセンブリ１０３は、動作素子１０８とマイクロホンのプリアンプ１１０との間に接続された高域通過フィルタ１０９と、マイクロホンのプリアンプ１１０と好ましくはシグマ−デルタ変調器であるＡ／Ｄ変換器１１２との間に接続された低域通過フィルタ１１１とを含む。高域通過フィルタ１０９は、動作素子１０８とプリアンプ１１０との間で信号中のＤＣ成分を阻止し、それによって、プリアンプ１１０の安定性とダイナミックレンジを改善する。また、高域通過フィルタ１０９は、低い周波数をフィルタリングして除去することによって、マイクロホンアセンブリ１０３における全体のノイズのレベルを低下させる。低域通過フィルタ１１１は、信号がＡ／Ｄ変換器１１２に供給される前に、信号の周波数成分を制限することによって望ましくないエイリアジングの効果を除去する。高域通過フィルタ１０９と低域通過フィルタ１１１は、好ましくは、マイクロホンのプリアンプ１１０に組み込まれているが、それに代わって、オプションとして、高域通過フィルタ１０９と低域通過フィルタ１１１をマイクロホンのプリアンプ１１０から分離してもよい。ライン１２０上のディジタル出力信号は、いかなる標準のオーディオ形式によってもフォーマット化されていないという意味において、未処理の信号である。ライン１２０上の未処理のディジタル出力信号は、別のディジタル処理のために、純粋なディジタルのＤＳＰ１１４に送信される。ディジタル出力信号のフォーマット化は、図４を参照して議論される。
【手続補正３】
【補正対象書類名】明細書
【補正対象項目名】００１９
【補正方法】変更
【補正の内容】
【００１９】
次に、図４は、本発明のもう１つの実施形態に係る、Ａ／Ｄ変換器３１２と純粋なディジタルのＤＳＰ３１４の間に接続されたフォーマット化回路３１３を備えたマイクロホンアセンブリ３０３を図示する。フォーマット化回路３１３は、例えば、Ｓ／ＰＤＩＦ、ＡＥＳ／ＥＢＵ、Ｉ２Ｓのようなディジタルオーディオの標準か、又は他の任意の適当なディジタルオーディオの標準に従って、Ａ／Ｄ変換器３１２からの信号をフォーマット化する。それに代わって、フォーマット化は、純粋なディジタルのＤＳＰ３１４によって実行されてもよい。フォーマット化回路３１３は、好ましくは、マイクロホンのケーシング３０４内のＡ／Ｄ変換器３１２に組み込まれ、さらに、図３に関連して記述されたもののようなディジタルフィルタを含んでもよい。プリアンプ３１０は、図２に関連して記述されたもののような高域通過フィルタ及び／又は低域通過フィルタをオプションとして含んでもよい。フォーマット化されたディジタル出力信号は、別の処理のために、純粋なディジタルのＤＳＰ３１４へ向かうライン３２０上に伝送されてもよく、又は、ディジタル出力信号がディジタルオーディオの標準に従ってフォーマット化されているので、例えば携帯型のオーディオ又はビデオの装置のような、そのようなディジタルオーディオの標準に従う装置に接続されるか、又はそのような装置に直接に組み込まれていてもよい。
【外国語明細書】
2012019543.tif 000008
2012019543.tif 000009
2012019543.tif 000010
2012019543.tif 000011
2012019543.tif 000012
2012019543.tif 000013
2012019543.tif 000014
2012019543.tif 000015
2012019543.tif 000016
2012019543.tif 000017
2012019543.tif 000018
2012019543.tif 000019
2012019543.tif 000020
2012019543.tif 000021